(57)【要約】      （修正有）【課題】自動車のバックミラーに比較的大きいテレビを着脱が容易で復旧させたい時には何時でも容易に復旧できるアタッチメントの提供。【解決手段】自動車に装備された先端部Ａａが球状に形成されたバックミラーステーＡと、薄型テレビＴＶの裏に装備された螺孔Ｂａを備えると共に立設リブＢｂを立設させたＴＶステーＢと、を接続するアタッチメントであって、アタッチメント本体１と、アタッチメント本体１の底部１ａに穿設した螺孔Ｂａに螺着するＴＶ固定用ビス２を挿通させる貫通穴１ｂと、ＴＶステーＢの立設リブＢｂを嵌入させる凹陥部１ｃと、アタッチメント本体１に段部１ｄを設けた先端部Ａａを挿通させる先端部挿通部１ｅと、先端部挿通部１ｅに螺設した取付用ビス３を螺合させるネジ孔１ｆとを備えたものである。【選択図】図１
0003128449.tif 000002
【実用新案登録請求の範囲】
【請求項１】
自動車に装備された先端部が球状に形成されたバックミラーステーと、液晶等の薄型テレビの裏に装備された上面が平坦で中央部に螺孔を備えると共に上面に短円柱状の立設リブを立設させたＴＶステーと、前記バックミラーステーと前記ＴＶステーとを接続するアタッチメントであって、有底円筒状のアタッチメント本体と、該アタッチメント本体の底部に穿設した前記ＴＶステーの螺孔に螺着するＴＶ固定用ビスを中側から挿通させる貫通穴と、前記アタッチメント本体の下面に刻設した前記ＴＶステーの立設リブを嵌入させる凹陥部と、前記アタッチメント本体の底部の上方に段部を設けて拡径させた前記バックミラーステーの球状の先端部を挿通させる先端部挿通部と、該先端部挿通部の外周壁に螺設した取付用ビスを螺合させて前記先端部に取り付けるための複数のネジ孔とを備えたことを特徴とするバックミラー取付用アタッチメント。
【考案の詳細な説明】
【技術分野】
【０００１】
本考案は、自動車に装備されているバックミラーステーに薄型のテレビを取り付けるアタッチメントに関するものであり、更に詳細には、自動車に装備されているバックミラーを取り外してバックミラーステーに薄型のテレビの裏面に装備されたＴＶステーを取り付けるアタッチメントに関するものである。
【背景技術】
【０００２】
従来から、自動車の室内に装備されたバックミラーにテレビを付けることは行われているが、何れも小さいテレビをクリップのようなものでバックミラーに固着しているもので、比較的大きいテレビを着脱が容易で復旧させたい時には何時でも容易に復旧できるアタッチメントが要求されている。
【０００３】
例えば、自動車の室内に設けられているルームミラーの鏡面の一部に、液晶テレビ等のテレビの画面を設けたもの（特許文献１参照）や、車室内に設けられるととにミラーを保持体に保持してなる自動車用バックミラー装置において、画像情報を表示する表示体を備え、保持体に上記表示体を格納する格納部を設けるとともに、上記表示体を格納部に出し入れ可能に支持したもの（特許文献２参照）や、信号処理部と、この信号処理部にケーブルを介して接続された画像表示部を備え、この画像表示部を、車両内後方確認用ミラーの中に取り付けるか、又は後方確認用ミラー部に着脱自在に構成したもの（特許文献３参照）等が開示されている。
【特許文献１】実開平３−２６６４０号公報
【特許文献２】実開平３−１１４４５６号公報
【特許文献３】特開昭６０−１５７９４１号公報
【考案の開示】
【考案が解決しようとする課題】
【０００４】
然し乍ら、特許文献１に記載のものは、自動車の室内に設けられているルームミラーの鏡面の一部に、液晶テレビ等のテレビの画面を設けたものではあるが、小さいテレビを取り付けるものであるが、その取付部の具体的な記載はなく、図示された取付部２もその構成は不明なものであり、特許文献２に記載のものは、自動車用バックミラー装置に画像情報を表示する表示体を備えているものであるが、保持体２９は単に板状もので取付状態の記載が無く、更に、特許文献３に記載のものは、車両内後方確認用ミラーの中に取り付けるか、又は、後方確認用ミラー部に着脱自在に構成したものであるが、取り付ける具体的な構成は不明なものであり、何れも小さいテレビで、その取り付けや取り外しに手間暇係るものである。
【課題を解決するための手段】
【０００５】
本考案は、前述の課題に鑑み、鋭意研鑽の結果、自動車に装備された先端部が球状に形成されたバックミラーステーと、薄型テレビに装備された中央部に螺孔を備えると共に短円柱状の立設リブを立設させたＴＶステーと、バックミラーステーとＴＶステーとを接続するアタッチメントであって、有底円筒状のアタッチメント本体と、アタッチメント本体の底部に穿設したＴＶステーの螺孔に螺着するＴＶ固定用ビスを挿通させる貫通穴と、アタッチメント本体の下面に刻設したＴＶステーの立設リブを嵌入させる凹陥部と、アタッチメント本体の底部の上方に段部を設けて拡径させたバックミラーステーの球状の先端部を挿通させる先端部挿通部と、先端部挿通部の外周壁に螺設した取付用ビスを螺合させて先端部に取り付けるための複数のネジ孔とを備えたものである。
【考案の効果】
【０００６】
本考案のバックミラー取付用アタッチメントは、前述の構成により、ＴＶステーとアタッチメントとの着脱はアタッチメント本体の底部に穿設した貫通穴にＴＶ固定用ビスを貫通させてＴＶステーの中央部の螺孔と螺合させることによって行い、バックミラーステーとアタッチメントとの着脱は球状の先端部を挿通させる先端部挿通部の外周壁に螺設した複数のネジ孔に取付用ビスを螺合させることによって、取り付け又は取り外しが容易に可能なものである。
【考案を実施するための最良の形態】
【０００７】
以下、本考案のバックミラー取付用アタッチメントの実施例の図面によって具体的に説明すると、図１は本考案のバックミラー取付用アタッチメントの実施例の使用状態を説明するための概要側面図であり、図２は本考案のバックミラー取付用アタッチメントの実施例の要部断面図である。
【０００８】
本考案は、自動車に装備されているバックミラーステーＡに薄型のテレビを取り付けるアタッチメントに関するものであり、更に詳細には、自動車に装備されているバックミラーを取り外してバックミラーステーＡに薄型のテレビＴＶの裏面に装備されたＴＶステーＢを取り付けるアタッチメントに関するものであり、自動車に装備された先端部Ａａが球状に形成されたバックミラーステーＡと、液晶等の薄型テレビＴＶの裏に装備された上面が平坦で中央部に螺孔Ｂａを備えると共に上面に短円柱状の立設リブＢｂを立設させたＴＶステーＢと、前記バックミラーステーＡと前記ＴＶステーＢとを接続するアタッチメントであって、有底円筒状のアタッチメント本体１と、該アタッチメント本体１の底部１ａに穿設した前記ＴＶステーＢの螺孔Ｂａに螺着するＴＶ固定用ビス２を中側から挿通させる貫通穴１ｂと、前記アタッチメント本体１の下面に刻設した前記ＴＶステーＢの立設リブＢｂを嵌入させる凹陥部１ｃと、前記アタッチメント本体１の底部１ａの上方に段部１ｄを設けて拡径させた前記バックミラーステーＡの球状の先端部Ａａを挿通させる先端部挿通部１ｅと、該先端部挿通部１ｅの外周壁に螺設した取付用ビス３を螺合させる前記先端部Ａａに取り付ける複数のネジ孔１ｆとを備えたことを特徴とするものである。
【実施例】
【０００９】
即ち、本考案のバックミラー取付用アタッチメントのバックミラーステーＡは、予め自動車に装備されているもので、後方確認用のバックミラーが装着されているもので、基端は自動車の天井に固定されており、先端は球状に形成された先端部Ａａが延設されており、先端部Ａａにはバックミラーが取り付けてあるものであるが、薄型のテレビＴＶを取り付けるために予めバックミラーは取り外すものである。
【００１０】
そして、ＴＶステーＢは、図１に図示する如く、液晶等の薄型テレビＴＶの裏に装備されているもので、上面が平坦に形成され、該上面の中央部に螺孔Ｂａを備えると共に、該螺孔Ｂａの外辺りに複数の短円柱状の立設リブＢｂが立設されているものである。
【００１１】
次に、アタッチメントは、底部１ａを有する円筒状のアタッチメント本体１であって、前記バックミラーステーＡと前記ＴＶステーＢとを取り付け容易で且つ取り外し可能に接続するものである。
【００１２】
次いで、貫通穴１ｂはアタッチメント本体１の底部１ａに穿設しており、アタッチメント本体１の中側からＴＶ固定用ビス２を挿通させてＴＶステーＢの螺孔Ｂａに螺着させるものである。
【００１３】
更に、凹陥部１ｃは、アタッチメント本体１の下面に刻設しているもので、前記ＴＶ固定用ビス２を螺着させる前に、ＴＶステーＢの上面に立設させている複数の立設リブＢｂを嵌入させて回動を防ぐと共に位置決めをするものである。
【００１４】
更には、先端部挿通部１ｅは、アタッチメント本体１の底部１ａの上方に段部１ｄを設けて拡径させいるもので、バックミラーステーＡの球状の先端部Ａａを挿通させるものである。
【００１５】
そして、ネジ孔１ｆは、先端部挿通部１ｅの外周壁に複数螺設しているもので、取付用ビス３を螺合させてアタッチメント本体１を先端部Ａａに取り付けるものであり、実施例では３箇所にネジ孔１ｆを螺設して３方からバックミラーステーＡの先端の球状の先端部Ａａを取付用ビス３の先端で押圧して取り付けるものであり、球状の水平方向の中心線より上方に位置させると好適なものである。
【００１６】
本考案のバックミラー取付用アタッチメントは、ＴＶステーＢの立設リブＢｂをアタッチメント本体１の凹陥部１ｃに嵌入させると共に、アタッチメント本体１の中側からＴＶ固定用ビス２を挿通させて螺孔Ｂａに螺着させるものである。
【００１７】
そして、バックミラーステーＡのバックミラーを取り外すと共に球状に形成された先端部Ａａをアタッチメント本体１の先端部挿通部１ｅに挿通させ、先端部挿通部１ｅの外周壁に複数螺設しているネジ孔１ｆに取付用ビス３を螺合させることで取り付けができるものである。
【産業上の利用可能性】
【００１８】
本考案のバックミラー取付用アタッチメントは、市販されている自動車のバックミラーを取り外し、そのバックミラーステーに薄型テレビを簡易に取り付けるものである。
【図面の簡単な説明】
【００１９】
【図１】図１は本考案のバックミラー取付用アタッチメントの実施例の使用状態を説明するための概要側面図である。
【図２】図２は本考案のバックミラー取付用アタッチメントの実施例を要部断面図である。
【符号の説明】
【００２０】
ＴＶ    テレビ
Ａ      バックミラーステー
Ａａ    先端部
Ｂ      ＴＶステー
Ｂａ    螺孔
Ｂｂ    立設リブ
１      アタッチメント本体
１ａ    底部
１ｂ    貫通穴
１ｃ    凹陥部
１ｄ    段部
１ｅ    先端部挿通部
１ｆ    ネジ孔
２      ＴＶ固定用ビス
３      取付用ビス
【図１】
0003128449.tif 000003
【図２】
0003128449.tif 000004